(57)【要約】【課題】複数のペットを一括して曳くことができ、又、状況に応じて分離して、個別に使用することができるペット用リードを提供する。【解決手段】ペット用リード１は、連結自在にされた、主リード１０と１本又は複数本の副リード２０を備える。主リード１０は、取手１１がリード１２の一端部に、ペットに装着された首輪と連結される繋ぎ金具１３がリード１２の他端部にそれぞれ設けられてなる。副リード２０は、取手２１がリード２２の一端部に、他のペットに装着された首輪と連結される繋ぎ金具がリードの他端部２３に設けられてなる。そして、主リード１０の取手１１と繋ぎ金具１３との間に、副リード２０を着脱自在に連結する連結具が備えられている。これにより、複数のペットを一括或いは個別にして曳くことができる。【選択図】図１
2008142018.tif 000002
【特許請求の範囲】
【請求項１】
複数匹のペットを一括して又は個別に曳く際に使用されるペット用リードであって、
取手が一端部に、ペットに装着された首輪と連結される繋ぎ具が他端部にそれぞれ設けられた主リードと、取手が一端部に、他のペットに装着された首輪と連結される繋ぎ具が他端部にそれぞれ設けられた１本又は複数本の副リードと、前記主リードの取手と繋ぎ具との間に前記副リードを着脱自在に連結する連結具と、を備えたことを特徴とするペット用リード。
【請求項２】
少なくとも２つの前記連結具が、前記主リードの取手と繋ぎ具との間に、所定間隔を隔てて設けられたことを特徴とする請求項１に記載のペット用リード。
【請求項３】
前記連結具は相互に着脱自在に連結される連結部材と被連結部材とからなり、前記連結部材は前記主リードに、該主リードの幅方向に沿う軸芯周りに揺動自在に取り付けられると共に、前記被連結部材は前記副リードに、該副リードの幅方向に沿う軸芯周りに揺動自在に取り付けられたことを特徴とする請求項１又は２に記載のペット用リード。
【請求項４】
前記連結部材には該連結部材に前記主リードを沿わせるガイド部が設けられると共に、前記被連結部材には該被連結部材に前記副リードを沿わせるガイド部が設けられたことを特徴とする請求項３に記載のペット用リード。
【請求項５】
前記副リードに取り付けられた被連結部材のうち、前記取手に取り付けられた被連結部材が該取手に対して摺動可能とされたことを特徴とする請求項３又は４に記載のペット用リード。
【請求項６】
前記主リードの一端部と前記取手との間には、回転環が設けられたことを特徴とする請求項１乃至５のいずれか一つに記載のペット用リード。
【発明の詳細な説明】
【技術分野】
【０００１】
本発明は、複数のペットを曳くためのペット用リードに関する。
【背景技術】
【０００２】
最近、犬や猫など、複数のペットを飼う家庭が多くなってきている。複数のペットを散歩に連れて行く場合には、ペットを首輪に繋いだリードを複数本持って、それぞれのリードを曳いて歩くこととなる。各ペットは気ままに行動し、それぞれが興味をいだく方向にリードを引っ張り、或いは、突然に止まったりするので、飼い主は、所定の散歩道を歩かせるために、各リードを個別に操作して各ペットを導く。また、散歩においては、周囲の状況が刻々と変化するので、飼い主は、状況にあわせて各リードを操作しなければならない。例えば、自動車や自転車が通ったりするときにはペットが轢かれないように注意をし、又、通行人がいたり子供等が遊んでいたりするときにはペットが通行人や子供等に害を加えないように気を配る必要があり、その度に、リードを個別に引っ張ったり、短く持ち替えたり、或いは、リードを両手で持ったり、片手で持ったりして、各リードを操作しなければならない。
【０００３】
このように、複数のペットを散歩に連れて行く場合には、周囲に気を配りつつ各リードを操作しなければならないので、気疲れし、また、複数のリードを操作する必要があるので、面倒なものでもあった。
【０００４】
そこで、このような気疲れや面倒から飼い主を解放するためのペット用リードとして、複数匹のペットを曳くためのペット用リードが提案されている。
【０００５】
例えば、１本のリードから途中で複数のリードに分岐したペット用リードが提案されている（特許文献１）。このようなペット用リードによれば、１本のリードを操作するだけで複数のペットを曳くことができるので、複数匹のペットの散歩が非常に楽になっていた。
【特許文献１】実開平０７−２２６５３号公報
【発明の開示】
【発明が解決しようとする課題】
【０００６】
ところが、１本のリードから複数のリードを分岐させたことにより、個々のペットの行動が互いに影響し合うこととなるので、ペットにとっては不都合が生じる場合があった。
【０００７】
例えば、一方のペットが他方のペットより小型であった場合は、大型のペットが常に主導権を握ることとなるので小型のペットは大型のペットに引き摺られることとなり、思うように行動できなくなり、結果的に、小型のペットにとっては酷な散歩となってしまう場合があった。
【０００８】
また、一方のペットが排泄したい場合であっても、このペットに繋がれているリードは他方のリードに繋がれていることから常に他方のペットの行動の影響を受けることとなるので、一方のペット自らの意思だけで排泄に適当な場所を探し出すことができなかった。また、一方のペットが排泄している最中に他方が勝手に歩き出した場合にあっては、排泄している最中にも関わらずリードが引っ張られてしまうので、気分よく排泄を終了することができず、排泄中のペットにとっては酷であった。
【０００９】
このようなことにより、従来からある、複数のリードに分岐したペット用リードを用いて散歩を行っても、ペットがストレスを溜めてしまう場合があった。
【００１０】
本発明はこのような状況に鑑みてなされたものであり、複数のペットを一括して曳くことができ、又、状況に応じて分離して、個別に使用することができるペット用リードを提供することを目的とする。
【課題を解決するための手段】
【００１１】
本発明に係るペット用リードは、複数匹のペットを一括して又は個別に曳く際に使用されるペット用リードであって、取手が一端部に、ペットに装着された首輪と連結される繋ぎ具が他端部にそれぞれ設けられた主リードと、取手が一端部に、他のペットに装着された首輪と連結される繋ぎ具が他端部にそれぞれ設けられた１本又は複数本の副リードと、前記主リードの取手と繋ぎ具との間に前記副リードを着脱自在に連結する連結具と、を備えたことを特徴とする。
【００１２】
本発明に係るペット用リードによれば、主リードの取手と繋ぎ具との間で、連結具により主リードと副リードとが連結されていることから、主リードの取手を把持するだけで、主リードと副リードとを支持することができ、これにより、主リードの取手を把持するだけで一括して複数のペットを曳くことができる。
【００１３】
また、主リードと副リードは着脱自在であって、主リードと副リードそれぞれは取手とリードと繋ぎ具とを備えていることから、主リードと副リードを独立させてペット用リードとして使用することができる。これにより、主リードと副リードを離して個別に使用することができるので、ペットの行動範囲を広くすることができ、また、主リードと副リードとの相互の影響を完全になくすことができ、各ペットを他のペットの影響から開放して自由に行動させることができる。
【００１４】
また、本発明に係るペット用リードでは、少なくとも２つの前記連結具が、前記主リードの取手と繋ぎ具との間に、所定間隔を隔てて設けられたことを特徴としてもよい。
【００１５】
この構成によれば、少なくとも２つの連結具の内のいずれかを適宜、着脱することができることから、連結具により連結された部分からペットが繋がれた繋ぎ具までのリードの長さを自在に変更することができ、これにより、ペット間の距離を変更することができ、又、ペットの行動範囲を調整することができる。
【００１６】
また、本発明に係るペット用リードでは、前記連結具は相互に着脱自在に連結される連結部材と被連結部材とからなり、前記連結部材は前記主リードに、該主リードの幅方向に沿う軸芯周りに揺動自在に取り付けられると共に、前記被連結部材は前記副リードに、該副リードの幅方向に沿う軸芯周りに揺動自在に取り付けられたことを特徴としてもよい。
【００１７】
この構成によれば、連結部材と被連結部材は、それぞれのリードに対して揺動自在に設けられていることから、それぞれに張力が加わった場合には、その張力の方向に、連結された連結部材と被連結部材が共に振れ、連結の方向（連結部材と被連結部材とが連結する方向）に力が加わることになるので、連結の方向とは異なる方向に強い力が加わることを防止することができ、これによって、連結具の破壊を防止することができる。
【００１８】
また、本発明に係るペット用リードでは、前記連結部材には該連結部材に前記主リードを沿わせるガイド部が設けられると共に、前記被連結部材には該被連結部材に前記副リードを沿わせるガイド部が設けられたことを特徴としてもよい。
【００１９】
この構成によれば、リードは常に連結部材又は被連結部材に沿って配置されることから、連結部材又は被連結部材がリードに対して宙吊り状態となることもないので、見栄えをよくすることができる。また、複数組の連結部材と被連結部材を連結し主リードと副リードを連結した場合には、連結された連結具間の２本のリードを略平行に配置させることができる。この結果、散歩の途中において、２本のリードの間に障害物（例えば、公園の柵やガードレールの角、或いは植木の枝など）が挟まる形でペット用リードが引っ掛かるといった虞もなくなり、また、２本のリードの間が広がって見栄えが悪くなることもないので、安全且つ楽しくペットの散歩を行うことができる。
【００２０】
また、本発明に係るペット用リードでは、前記副リードに取り付けられた被連結部材のうち、前記取手に取り付けられた被連結部材が該取手に対して摺動可能とされたことを特徴としてもよい。
【００２１】
この構成によれば、副リードの取手に被連結部材が摺動自在に設けられていることから、主リードと副リードを分離させて用いる場合において副リードの取手を把持するときに、被連結部材を移動させて把持する部分を確保することができるので、副リードの取手を確実に把持することができる。
【００２２】
また、本発明に係るペット用リードでは、前記主リードの一端部と前記取手との間には、回転環が設けられたことを特徴としてもよい。
【００２３】
この構成によれば、主リードと副リードとが連結状態にあるとき、各ペットの位置が入れ替わってリード同士が絡まることがあっても、簡単にその絡まりを解くことができる。
【発明の効果】
【００２４】
本発明に係るペット用リードによれば、主リードと１本又は複数本の副リードを備えており、主リードは、取手が一端部に、ペットに装着された首輪と連結される繋ぎ具が他端部にそれぞれ設けられてなり、他方、副リードは、取手が一端部に、他のペットに装着された首輪と連結される繋ぎ具が他端部にそれぞれ設けられてなり、つまり、それぞれがペット用リードとしての構成を備えており、そして、主リードと副リードが、主リードの取手と繋ぎ具との間において、着脱自在に連結する連結具により連結されていることから、連結具の連結を解除して、主リードと副リードを独立させてペット用リードとして使用することができ、これにより、主リードと副リードを別々の手で把持することによりペットの行動範囲を広くすることができ、又、主リードと副リードとの相互の影響を完全になくすことができ、これに加えて、連結具を連結して使用することもでき、この場合は、主リードの取手を把持するだけで一括して複数のペットを曳くことができる。
【００２５】
また、本発明に係るペット用リードによれば、少なくとも２つの連結具が、主リードの取手と繋ぎ具との間に、所定間隔を隔てて設けらたことから、少なくとも２つの連結具の内のいずれかを適宜、着脱することができるので、連結具により連結された部分からペットが繋がれた繋ぎ具までのリードの長さを自在に変更することができ、これにより、ペット間の距離を変更することができ、又、ペットの行動範囲を調整することができる。
【００２６】
また、本発明に係るペット用リードによれば、連結具は相互に着脱自在に連結される連結部材と被連結部材とからなり、そして、連結部材は前記主リードに、主リードの幅方向に沿う軸芯周りに揺動自在に取り付けられると共に、被連結部材は副リードに、副リードの幅方向に沿う軸芯周りに揺動自在に取り付けられた構成としたことから、連結部材と被連結部材それぞれに張力が加わった場合には、その張力の方向に、連結された連結部材と被連結部材が共に振れ、連結の方向に力が加わることになるので、連結の方向とは異なる方向に強い力が加わることを防止することができ、これによって、連結具の破壊を防止することができる。
【００２７】
また、本発明に係るペット用リードによれば、連結部材には連結部材に主リードを沿わせるガイド部が設けられると共に、被連結部材には被連結部材に副リードを沿わせるガイド部が設けられたことから、リードは常に連結部材又は被連結部材に沿って配置され、連結部材又は被連結部材がリードに対して宙吊り状態となることもないので、見栄えをよくすることができる。また、複数組の連結部材と被連結部材を連結し主リードと副リードを連結した場合には、連結された連結具間の２本のリードを略平行に配置させることができるので、散歩の途中において、２本のリードの間に障害物（例えば、公園の柵やガードレールの角、或いは植木の枝など）が挟まる形でペット用リードが引っ掛かるといった虞もなくなり、また、２本のリードの間が広がって見栄えが悪くなることもないので、安全且つ楽しくペットの散歩を行うことができる。
【００２８】
また、本発明に係るペット用リードによれば、副リードに取り付けられた被連結部材のうち、取手に取り付けられた被連結部材が取手に対して摺動可能とされたことから、主リードと副リードを分離させて用いる場合において副リードの取手を把持するときに、被連結部材を移動させて把持する部分を確保することができるので、副リードの取手を確実に把持することができる。
【００２９】
また、本発明に係るペット用リードによれば、主リードの取手とリードとの間に回転環を設けた構成とされたことから、主リードと副リードとが連結状態にあるとき、各ペットの位置が入れ替わってリード同士が絡まることがあっても、簡単にその絡まりを解くことができる。
【発明を実施するための最良の形態】
【００３０】
以下、本発明の実施の形態を図面に基づいて説明する。
【００３１】
本発明に係る実施の形態として２匹のペットを曳くためのペット用リードについて説明する。なお、本発明に係るペット用リードは２匹のペットに限定されるものではなく、３匹以上のペットを曳くものにも適用される。
【００３２】
図１は、本実施の形態に係るペット用リードの斜視図である。図２は、本実施の形態に係るペット用リードの使用状態を示し、図２（Ａ）はペット間の距離が狭くなるように連結具を連結した状態を示した概略図であり、図２（Ｂ）はペット間の距離が広くなるように連結具を連結した状態を示した概略図であり、図２（Ｃ）は主リードと副リードとを分離した状態を示した概略図である。図３は、本実施の形態に係るペット用リードの一端部に設けた連結具の拡大斜視図である。図４は、本実施の形態に係るペット用リードの途中部に設けた連結具の拡大斜視図である。
【００３３】
本実施の形態に係るペット用リード１は、２匹のペットを一括して又は個別に曳く際に使用されるものであって、主リード１０と副リード２０を備え、主リード１０の取手１１と繋ぎ具１３との間には、副リード２０を着脱自在に連結する連結具が設けられてなる。そして、連結具を着脱することにより、主リード１０と副リード２０の着脱を自在なものとしている。また、連結具は、主リード１０の取手１１と繋ぎ具１３との間に所定間隔を隔てて設けられている。この連結具としては、例えば、雄バックル（連結部材）と雌バックル（被連結部材）からなるバックル８が用いられる。なお、連結具は相互に着脱自在に着脱できるものであればよく、バックル８に限定されるものではない。以下、各構成要素について説明する。
【００３４】
主リード１０は、リード１２の一端部に取手１１が設けられ、リード１２の他端部にペットに装着された首輪と連結される繋ぎ具１３が回転自在に設けられてなる。
【００３５】
また、主リード１０のリード１２の一端部には、第一雄バックル（第一連結部材）１４が設けられ、リード１２の途中部には、第二雌バックル（第二連結部材）１５が設けられている。更に、取手１１とリード１２の一端部との間には、回転環１６が設けられている。つまり、取手１１はリード１２に対して回転自在とされている。
【００３６】
副リード２０は、リード２２の一端部に取手２１が設けられ、リード２２の他端部には他のペットに装着された首輪と連結される繋ぎ具２３が回転自在に設けられてなる。
【００３７】
また、副リード２０の取手２１には、主リード１０の第一雄バックル１４と着脱自在に連結する第一雌バックル（第一被連結部材）２４が、取手２１に対して摺動自在に設けられ、リード２２の途中部には、主リード１０の第二雌バックル１５と着脱自在に連結する第二雄バックル（第二被連結部材）２５が設けられている。
【００３８】
バックル８としては、図５又は図６に示すような、所謂、プラスチックバックルを用いることが好ましい。つまり、プラスチックバックルは、雄バックル１４（又は２５）を雌バックル２４（又は１５）に挿入するだけで連結され、また、雄バックル１４（又は２５）の両側の爪状係合部（後述）を押すだけで雄バックル１４（又は２５）と雌バックル２４（又は１５）との連結が解除され、片手で簡単且つ迅速に着脱できるものであるので、これをペット用リード１の連結具として用いることにより、散歩の状況（周囲の交通量やペットの排泄）に合わせて、即時且つ簡単に、主リード１０と副リード２０との連結状態を変えることができる。また、プラスチックバックルは、雄バックル１４（又は２５）を雌バックル２４（又は１５）を連結した状態で引き離す方向への強度（引っ張り強度）が高いので、引っ張り強度が必要とされるペット用リード１の連結具として最適である。
【００３９】
また、主リード１０と副リード２０は、互いの長さが異なるようにすることが好ましい。具体的には、主リード１０と副リード２０を連結した状態で各リード１２，２２を伸ばした場合において、各リード１２，２２の先端の位置（繋ぎ具１３，２３の位置）が異なるように、リード１２及びリード２２の長さを調整する。この構成により、ペットを進行方向に縦列させることができ、ペットを横に拡がらせずに曳くことができる。
【００４０】
以下、上記の構成のペット用リード１の使用方法について説明する。
【００４１】
２匹のペットを一括して曳き、ペットの行動範囲を狭めて散歩を行う場合は、主リード１０の第一雄バックル１４と副リード２０の第一雌バックル２４を連結し、主リード１０の第二雌バックル１５と副リード２０の第二雄バックル２５を連結する。
【００４２】
２匹のペットを一括して曳いた状態で、ペットの行動範囲を広げる場合は、主リード１０の途中部に設けた、主リード１０の第二雌バックル１５と副リード２０の第二雄バックル２５の連結を解除する。
【００４３】
また、ペット用リード１を主リード１０と副リード２０とに分離して個別に使用する場合は、主リード１０の第一雄バックル１４と副リード２０の第一雌バックル２４との連結を解除し、主リード１０の第二雌バックル１５と副リード２０の第二雄バックル２５との連結を解除して使用する。
【００４４】
以上の構成のペット用リード１によれば、主リード１０の取手１１と繋ぎ部１３との間で、バックル８により主リード１０と副リード２０とが連結されることから、主リード１０の取手１１を把持するだけで、主リード１０と副リード２０とを支持することができる。つまり、主リード１０の取手１１を把持するだけで一括して複数のペットを曳くことができる。
【００４５】
また、主リード１０と副リード２０それぞれは、連結を解除して分離されるものであって、主リード１０と副リード２０それぞれは取手１１（又は２１）とリード２１（又は２２）と繋ぎ具１３（又は２３）とを備えていることから、主リード１０と副リード２０を独立させてペット用リードとして使用できる。これにより、主リード１０と副リード２０を離すことができるので、ペットの行動範囲を広くすることができ、また、主リード１０と副リード２０との相互の影響を完全になくすことができ、各ペットを他のペットの影響から開放して自由に行動させることができる。
【００４６】
また、主リード１０と副リード２０は、リード１２（又は２２）の一端部と途中部の２箇所でバックル８により連結自在とされていることから、途中部のバックル８を着脱することにより、バックル８により連結された部分からペットが繋がれた繋ぎ具までのリード１２（又は２２）の長さを自在に変更することができる。これにより、散歩の周囲の状況変化に応じて、ペット間の距離を変更することができ、又、ペットの行動範囲を広くしたり狭めたりすることができる。
【００４７】
また、副リード２０の取手２１には第一雌バックル（第一被連結部材）２４が摺動自在に設けられていることから、主リード１０と副リード２０を分離させて用いる場合において副リード２０の取手２１を把持するときに、第一雌バックル２４を移動させて把持する部分を確保することができるので、副リード２０の取手２１を確実に把持することができる。
【００４８】
また、ペット用リード１は、主リード１０の取手１１とリード１２との間に回転環１６が設けられた構成とされていることから、主リード１０と副リード２０とが連結状態にある場合において各ペットの位置が入れ替わってリード同士１０，２０が絡まることがあっても、簡単にその絡まりを解くことができる。
【００４９】
次に、本発明に係るペット用リード１に用いられている雄バックルと雌バックルについて説明する。なお、上記の第一雄バックル１４と第二雄バックル２５とは同じものであり、第一雌バックル２４と第二雌バックル１５は同じものであるので、以下では、それぞれ一方について説明する。
【００５０】
図５は、本実施の形態に係るペット用リードの第二雄バックルの斜視図である。図６は、本実施の形態に係るペット用リードの第二雌バックルの斜視図である。
【００５１】
まず、副リード２０の途中部に設けられた第二雄バックル２５について説明する。
【００５２】
第二雄バックル２５は、ＰＯＭ（ＰｏｌｙＯｘｙＭｅｔｈｙｌｅｎｅ）樹脂などの高剛性の樹脂により形成されるものであり、本体部３２と、本体部３２に正面５２に設けられた爪状係合部３３と、本体部３２の背面側に設けられるものであり本体部３２をリード２２に揺動自在に取り付けるための取付け部３４と、本体部３２の上面５０に設けられるものでありリード２２をガイドするためのガイド部３５により主要部が構成されている。
【００５３】
本体部３２は、矩形の枠体とされている。なお、本体部３２は、図５に示すような枠体に限定されるものではない。
【００５４】
爪状係合部３３は、並列した３本の突起により構成され、そのうちの外側の突起（以下、外側突起という。）３６は、本体部３２の幅方向と平行な方向（矢符Ａ）に弾性的に変動し得るように形成されると共に、先端から根元に至る途中の部分で段差３７が設けられ、矢印状に形成されている。また、２つの外側突起３６の間隔は、リード２２の幅よりも大きめに形成されている。この構成により、リード２２に第二雄バックル２５を取り付けた場合に、外側突起３６の側面をリード２２より外側に配置させることができるので、連結を解除するときに外側突起３６の側面を押圧し易くなる。
【００５５】
取付け部３４は、取付け軸４１とこれを両側から支持する支持部４２，４２により構成されている。そして、この取付け軸４１は、本体部３２の上面５０に略平行とされ、その取付け軸４１と本体部３２との間に形成されるガイド穴４３にリード２２が移動自在に挿通するように間隔を設けて配置されている。
【００５６】
ガイド部３５は、本体部３２の上面５０に平行にガイド棒４５が設けられてなり、そのガイド棒４５と上面５０との間に形成されるガイド穴４６にリード２２が摺動可能に配置され得るように形成されている。
【００５７】
そして、第二雄バックル２５は、リード２２の幅方向に横設されているパイプ２９（図４参照）に、取付け軸４１を揺動自在に挿通し、リード２２をガイド穴４３とガイド穴４６に挿通し、リード２２に取り付けられる。これにより、第二雄バックル２５は、リード２２の幅方向に沿う軸芯周りに揺動自在に取り付けられると共に、リード２２に沿って設けられることとなる。
【００５８】
次に、第二雄バックル２５に連結する、主リード１０に設けられた第二雌バックル１５について説明する。
【００５９】
第二雌バックル１５は、ＰＯＭ樹脂などの高剛性の樹脂により形成されるものであり、本体部６２と、本体部６２の正面８２に穿設して設けられるものであり第二雄バックル２５の爪状係合部３３が嵌入係合する嵌入部６３と、本体部６２の背面側に設けられるものであり本体部６２をリード１２に揺動自在に取り付けるための取付け部６４と、本体部６２の底面８０に設けられるものでありリード１２をガイドするためのガイド部６５により主要部が構成されている。
【００６０】
本体部６２には爪状係合部３３が嵌入する開口部（以下、第一開口部という。）６７を備えた内部空間６６が設けられ、その両側面８１，８１には内部空間６６と通ずる開口部（以下、第二開口部という。）６８，６８が設けられている。
【００６１】
嵌入部６３は、本体部６２に設けられた内部空間６６、第一開口部６７、第二開口部６８，６８を含めた部分であり、第二雄バックル２５の爪状係合部３３が嵌入係合されるものとして形成されている。具体的には、第一開口部６７は、爪状係合部３３の両外側突起３６，３６が変動し幅方向に縮小した状態で挿入し得る寸法として形成され、第二開口部６８は、爪状係合部３３の嵌入が完了し両外側突起３６，３６の幅方向の縮小が解除されたときに、この外側突起３６の先端部分（先端から段差３７に至る部分）３８が嵌合するように、形成されている。このような構成により、第二雄バックル２５の爪状係合部３３を第二雌バックル１５の嵌入部６３に挿入するだけで、両者を強固に連結させることができ、且つ、第二開口部６８から突出する爪状係合部３３の先端部分３８を押圧することだけで、簡単にその連結を解除することができる。
【００６２】
取付け部６４は、取付け軸７１とこれを両側から支持する支持部７２，７２により構成されている。そして、この取付け軸７１は、本体部６２の底面８０に略平行とされ、その取付け軸７１と本体部６２との間に形成されるガイド穴７３にリード１２が移動自在に挿通するように間隔を設けて配置されている。
【００６３】
ガイド部６５は、本体部６２の底面８０に平行にガイド棒７５が設けられなり、そのガイド棒７５と底面８０との間に形成されるガイド穴７６にリード１２が摺動可能に配置され得るように形成されている。
【００６４】
そして、第二雌バックル１５は、リード１２の幅方向に横設されているパイプ１８（図４参照）に、取付け軸７１を揺動自在に挿通し、リード１２をガイド穴７３とガイド穴７６に挿通し、リード１２に取り付けられる。これにより、第二雌バックル１５は、リード１２の幅方向に沿う軸芯周りに揺動自在に取り付けられると共に、リード１２に沿って設けられることとなる。
【００６５】
以上のような、第二雄バックル２５と第二雌バックル１５との組合せによる連結によれば、第二雄バックル２５の取付け部３４の取付け軸４１と、第二雌バックル１５の取付け部６４の取付け軸７１のそれぞれは、リード２２又は１２に設けられたパイプ２９，１８に揺動自在に挿通され、第二雄バックル２５と第二雌バックル１５は、それぞれのリード２２，１２に対して揺動自在に設けられていることから、連結した第二雄バックル２５と第二雌バックル１５に張力が加わった場合には、その張力の方向に第二雄バックル２５と第二雌バックル１５が共に振れ、連結の方向に力が加わり、第二雄バックル２５と第二雌バックル１５との連結状態において強度が強い方向にのみに力が加わるようにすることができるので、これによって、連結の方向とは異なる方向に強い力が加わることを防止し、第二雄バックル２５や第二雌バックル１５の破壊を防止することができる。
【００６６】
また、第二雄バックル２５と第二雌バックル１５は、第二雄バックル２５の爪状係合部３３を第二雌バックル１５の嵌入部６３に挿入するだけで連結できるものであり、又、第二雄バックル２５と第二雌バックル１５が連結した状態においては、第二開口部６８から突き出ている爪状係合部３３の両外側突起３６，３６の先端部分３８を押すだけで簡単にその連結を解除することができるものであることから、第二雄バックル２５と第二雌バックル１５をペット用リード１に用いることにより、簡単且つ迅速に、主リード１０と副リード２０を連結したり分離したりすることができる。
【００６７】
また、第二雄バックル２５と第二雌バックル１５には、リード２２，１２をガイドするガイド部３５，６５が設けられていることから、リード２２，１２は常に第二雄バックル２５又は第二雌バックル１５の上面５０（又は底面８０）に沿って配置することができる。これにより、第二雄バックル２５又は第二雌バックル１５はリード２２（又は１２）に対して宙吊り状態となることもないので、ペット用リード１の見栄えをよくすることができる。また、図２（Ａ）のように、第一雄バックル１４と第一雌バックル２４、第二雄バックル２５と第二雌バックル１５それぞれを連結させて、主リード１０と副リード２０を連結した場合には、２組のバックル８，８の間の２本のリード（主リード１０のリード１２と副リード２０のリード２２）を離間させることなく略平行に配置させることができる。この結果、ペットの散歩の途中で、２本のリード１２，２２の間に障害物（例えば、公園の柵やガードレールの角、或いは植木の枝など）が挟まる形でペット用リード１が引っ掛かるといった虞もなくなり、また、２本のリード１２，２２の間が広がって見栄えが悪くなることもないので、安全且つ楽しくペットの散歩を行うことができる。
【００６８】
また、第二雄バックル２５の２つの外側突起３６の間隔は、リード２２の幅よりも大き目に形成されていることから、第二雄バックル２５と第二雌バックル１５を連結した状態において、外側突起３６の側面をリード２２より外側に配置させることができ、外側突起３６の側面を容易に押圧することができるので、第二雄バックル２５と第二雌バックル１５の連結状態を解除し易いものとすることができる。
【図面の簡単な説明】
【００６９】
【図１】本実施の形態に係るペット用リードの斜視図である。
【図２】本実施の形態に係るペット用リードの使用状態を示し、図２（Ａ）はペット間の距離が狭くなるように連結具を連結した状態を示した概略図であり、図２（Ｂ）はペット間の距離が広くなるように連結具を連結した状態を示した概略図であり、図２（Ｃ）は主リードと副リードとを分離した状態を示した概略図である。
【図３】本実施の形態に係るペット用リードの一端部に設けた連結具の拡大斜視図である。
【図４】本実施の形態に係るペット用リードの途中部に設けた連結具の拡大斜視図である。
【図５】本実施の形態に係るペット用リードの第二雄バックルの斜視図である。
【図６】本実施の形態に係るペット用リードの第二雌バックルの斜視図である。
【符号の説明】
【００７０】
１              ペット用リード
８              バックル
１０            主リード
１１            主リードの取手
１２            主リードのリード
１３            主リードの繋ぎ具
１４            第一雄バックル
１５            第二雌バックル
１６            回転環
２０            副リード
２１            副リードの取手
２２            副リードのリード
２３            副リードの繋ぎ具
２４            第一雌バックル
２５            第二雄バックル
３２            本体部
３３            爪状係合部
３４            取付け部
３５            ガイド部
６２            本体部
６３            嵌入部
６４            取付け部
６５            ガイド部
【図１】
2008142018.tif 000003
【図２】
2008142018.tif 000004
【図３】
2008142018.tif 000005
【図４】
2008142018.tif 000006
【図５】
2008142018.tif 000007
【図６】
2008142018.tif 000008